(57)【要約】【課題】  簡単な構成で防塵性を高めることができ、しかも光学的影響を受けることなくメンテナンス作業性改善を可能にした顕微鏡を提供する。【解決手段】  ステージ３に載置した標本２を観察する対物レンズ２６を有するとともに、ランプ７０１からの光を対物レンズ２６に向け反射し、対物レンズ２６を介して与えられる標本２からの光を透過するような特性を有するハーフミラー１７を配置し、このハーフミラー１７の少なくとも上方面を覆うような防塵ガラス１９を有する防塵ガラスユニット１８を着脱可能に設け、ハーフミラー１７を透過した光を標本像として接眼レンズ３２で観察する。【選択図】      図１
2006098549.tif 000002
【特許請求の範囲】
【請求項１】
標本を載置するステージと、
光源と、
前記ステージに載置された標本を観察する対物レンズと、
前記光源からの光を前記対物レンズに向け反射し、前記対物レンズを介して得られる前記標本からの光を透過するような特性を有する光路分割手段と、
前記光路分割手段の少なくとも上方面を覆うような透明部材を有する防塵手段と、
前記光路分割手段を透過した光を標本像として観察する観察手段と、
を具備したことを特徴とする顕微鏡。
【請求項２】
前記光路分割手段は、光路分割ブロックに設けられ、
前記防塵手段は、前記光路分割ブロックに着脱可能に設けられることを特徴とする請求項１記載の顕微鏡。
【請求項３】
さらに前記光路分割ブロックは、前記光路分割手段の下方面に対向してスライダ挿入部が設けられ、前記スライダ挿入部にダミースライダーを挿入可能としたことを特徴とする請求項２記載の顕微鏡。
【請求項４】
さらに前記光路分割ブロックは、前記光路分割手段の下方面に対向してスライダ挿入部が設けられ、前記スライダ挿入部の開口を開閉する開閉手段を有することを特徴とする請求項２記載の顕微鏡。
【請求項５】
前記光路分割ブロックは、さらに前記光路分割手段の下方面を覆うような透明部材を有する防塵手段を着脱可能に設けたことを特徴とする請求項２記載の顕微鏡。
【請求項６】
前記光路分割手段は、光路分割ブロックに設けられ、
前記光路分割ブロックは、前記光路分割手段の上方面又は下方面を覆うような透明部材を有する防塵手段を一体的に設けたことを特徴とする請求項１記載の顕微鏡。
【請求項７】
前記防塵手段は、防塵ガラスと、該防塵ガラスが一体に設けられる防塵ガラスユニットからなることを特徴とする請求項１乃至６のいずれかに記載の顕微鏡。
【請求項８】
標本を載置するステージと、
光源と、
前記ステージに載置される標本を観察する対物レンズと、
前記光源からの光を前記対物レンズに向け反射し、前記対物レンズを介して得られる前記標本からの光を透過するような特性を有する光路分割手段と、
前記光源と光路分割手段との間の光路に配置され、少なくとも各種フィルタを収容する防塵カバーを備えたフィルタ保持手段と、
前記光路分割手段の上方面および下方面をそれぞれ防塵するように設けられた第１および第２の防塵手段と、
前記光路分割手段を透過した光を標本像として観察する観察手段と、
を具備したことを特徴とする顕微鏡。
【請求項９】
前記光路分割手段は、光路分割ブロックに設けられ、
前記第１および第２の防塵手段は、透明部材を有するとともに、前記光路分割ブロックに着脱可能に設けられることを特徴とする請求項８記載の顕微鏡。
【請求項１０】
前記光路分割手段は、光路分割ブロックに設けられ、
前記光路分割ブロックは、前記光路分割手段の下方面に対向してスライダ挿入部が設けられ、前記第２の防塵手段は、前記スライダ挿入部にダミースライダーを挿入可能としたことを特徴とする請求項８記載の顕微鏡。
【請求項１１】
前記光路分割手段は、光路分割ブロックに設けられ、
前記光路分割ブロックは、前記光路分割手段の下方面に対向してスライダ挿入部が設けられ、前記第２の防塵手段は、前記スライダ挿入部の開口を開閉する開閉手段を有することを特徴とする請求項８記載の顕微鏡。
【請求項１２】
前記光路分割ブロックは、前記第１および第２の防塵手段を一体に設けたことを特徴とする請求項８記載の顕微鏡。
【請求項１３】
前記防塵手段は、防塵ガラスと、該防塵ガラスが一体に設けられる防塵ガラスユニットからなることを特徴とする請求項９又は１２記載の顕微鏡。
【請求項１４】
前記フィルタ保持手段は、前記光路に沿ってスライド移動可能にした蓋部を有することを特徴とする請求項８記載の顕微鏡。
【発明の詳細な説明】
【技術分野】
【０００１】
本発明は、防塵機能を有する顕微鏡に関するものである。
【背景技術】
【０００２】
従来。学校での実習や企業の現場などでは、金属製品の生産過程での結晶確認や完成品の検査などを行なう顕微鏡として、いわゆる金属顕微鏡が用いられている。
【０００３】
特許文献１は、このような目的に使用される顕微鏡の一例を示している。図７は、倒立顕微鏡を示すもので、顕微鏡本体１００の上方には、標本１０１を載置するステージ１０２が配置されている。顕微鏡本体１００の後方には、絞り１０４を有する投光管１０３が配置されている。投光管１０３には、ランプ１０５ａを有するランプハウス１０５が設けられている。ランプ１０５ａからの光束は、投光管１０３を通って顕微鏡本体１００に導かれ、ハーフミラー１０６により反射され、対物レンズ１０８を介して標本１０１に照射される。この場合、対物レンズ１０８は、レボルバー１０７に複数個保持され択一的に光軸上に配置される。そして、標本１０１からの反射光は、対物レンズ１０８、ハーフミラー１０６を介して反射ミラー１０９で反射し、顕微鏡本体１００前方に配置される鏡筒１１０を介して接眼レンズ１１１に導かれ、拡大標本像として観察可能にしている。
【特許文献１】特開２０００−１３１６１７号公報
【発明の開示】
【発明が解決しようとする課題】
【０００４】
ところで、このような顕微鏡は、例えば、製品の加工現場など周囲に粉塵などが飛び交うような環境的条件の悪い場所に設置して使用されることも多い。ところが、従来の顕微鏡では、防塵対策がなされたものがなく、特に、ランプ１０５ａからの光束を標本１０１側に折り返すためのハーフミラー１０６については、上方にレボルバー１０７や、レボルバー１０７を支持する不図示のレボルバー台などが配置されるものの周囲は、開口した状態のままである。このため、顕微鏡本体１００内部へ粉塵が侵入した場合、上方からの侵入に対しては、ハーフミラー１０６上方に位置されるレボルバー１０７やレボルバー台により、ある程度回避することができる。しかしながら、例えば、顕微鏡本体１００内部に巻き込むような空気の流れがある場合は、ハーフミラー１０６の周囲の隙間から粉塵が入り込み、ハーフミラー１０６表面に付着することがある。このことは、この状態のままで、長期間観察を続けると、ハーフミラー１０６表面に付着した粉塵によりランプ１０５ａからの標本１０１側に照射される光量や、標本１０１で反射し鏡筒１１０を介して接眼レンズ１１１で観察される像の光量が大幅に減少し、観察像が暗く見えにくいものになり、また、ピント合わせの際に、ハーフミラー１０６に付着した粉塵が目立って見えることで、ピント合わせの邪魔になることがあった。
【０００５】
そこで、ハーフミラー１０６への粉塵の付着を防止するため、例えば、顕微鏡本体１００のステージ１０２の下方を全て覆うような防塵カバーが考えられる。ところが、レボルバー１０７の回転操作を手動で行なうような安価なタイプの顕微鏡では、操作性が著しく低下してしまう。また、回転操作を行なうレボルバー１０７を除いて防塵カバーを設けることも考えられるが、この時の防塵カバーの形状自体が複雑になることから、価格的に高価なものになってしまうという問題が考えられる。
【０００６】
このように、従来では、操作性の低下を見込むか、高価な防塵カバーを用いる以外、ハーフミラー１０６への粉塵の付着を防止するのが難しく、さらに、薄い形状をしたハーフミラー１０６に対し無理やり表面の粉塵を拭き取ったりすると、損傷の可能性がある。このため従来では、観察者によるクリーニングは不可能とされ、メーカーサービスに依頼するしかないのが現状であった。
【０００７】
本発明は上記事情に鑑みてなされたもので、簡単な構成で防塵性を高めることができ、しかも光学的影響を受けることなくメンテナンス作業性改善を可能にした顕微鏡を提供することを目的とする。
【課題を解決するための手段】
【０００８】
請求項１記載の発明は、標本を載置するステージと、光源と、前記ステージに載置される標本を観察する対物レンズと、前記光源からの光を前記対物レンズに向け反射し、前記対物レンズを介して得られる前記標本からの光を透過するような特性を有する光路分割手段と、前記光路分割手段の少なくとも上方面を覆うような透明部材を有する防塵手段と、
前記光路分割手段を透過した光を標本像として観察する観察手段と、を具備したことを特徴としている。
【０００９】
請求項２記載の発明は、請求項１記載の発明において、前記光路分割手段は、光路分割ブロックに設けられ、前記防塵手段は、前記光路分割ブロックに着脱可能に設けられることを特徴としている。
【００１０】
請求項３記載の発明は、請求項２記載の発明において、さらに前記光路分割ブロックは、前記光路分割手段の下方面に対向してスライダ挿入部が設けられ、前記スライダ挿入部にダミースライダーを挿入可能としたことを特徴としている。
【００１１】
請求項４記載の発明は、請求項２記載の発明において、さらに前記光路分割ブロックは、前記光路分割手段の下方面に対向してスライダ挿入部が設けられ、前記スライダ挿入部の開口を開閉する開閉手段を有することを特徴としている。
【００１２】
請求項５記載の発明は、請求項２記載の発明において、前記光路分割ブロックは、さらに前記光路分割手段の下方面を覆うような透明部材を有する防塵手段を着脱可能に設けたことを特徴としている。
【００１３】
請求項６記載の発明は、請求項１記載の発明において、前記光路分割手段は、光路分割ブロックに設けられ、前記光路分割ブロックは、前記光路分割手段の上方面又は下方面を覆うような透明部材を有する防塵手段を一体的に設けたことを特徴としている。
【００１４】
請求項７記載の発明は、請求項１乃至６のいずれかに記載の発明において、前記防塵手段は、防塵ガラスと、該防塵ガラスが一体に設けられる防塵ガラスユニットからなることを特徴としている。
【００１５】
請求項８記載の発明は、標本を載置するステージと、光源と、前記ステージに載置された標本を観察する対物レンズと、前記光源からの光を前記対物レンズに向け反射し、前記対物レンズを介して得られる前記標本からの光を透過するような特性を有する光路分割手段と、前記光源と光路分割手段との間の光路に配置され、少なくとも各種フィルタを収容する防塵カバーを備えたフィルタ保持手段と、前記光路分割手段の上方面および下方面をそれぞれ防塵するように設けられた第１および第２の防塵手段と、前記光路分割手段を透過した光を標本像として観察する観察手段と、を具備したことを特徴としている。
【００１６】
請求項９記載の発明は、請求項８記載の発明において、前記光路分割手段は、光路分割ブロックに設けられ、前記第１および第２の防塵手段は、透明部材を有するとともに、前記光路分割ブロックに着脱可能に設けられることを特徴としている。
【００１７】
請求項１０記載の発明は、請求項８記載の発明において、前記光路分割手段は、光路分割ブロックに設けられ、前記光路分割ブロックは、前記光路分割手段の下方面に対向してスライダ挿入部が設けられ、前記第２の防塵手段は、前記スライダ挿入部にダミースライダーを挿入可能としたことを特徴としている。
【００１８】
請求項１１記載の発明は、請求項８記載の発明において、前記光路分割手段は、光路分割ブロックに設けられ、前記光路分割ブロックは、前記光路分割手段の下方面に対向してスライダ挿入部が設けられ、前記第２の防塵手段は、前記スライダ挿入部の開口を開閉する開閉手段を有することを特徴としている。
【００１９】
請求項１２記載の発明は、請求項８記載の発明において、前記光路分割ブロックは、前記第１および第２の防塵手段を一体に設けたことを特徴としている。
【００２０】
請求項１３記載の発明は、請求項９又は１２記載の発明において、前記防塵手段は、防塵ガラスと、該防塵ガラスが一体に設けられる防塵ガラスユニットからなることを特徴としている。
【００２１】
請求項１４記載の発明は、請求項８記載の発明において、前記フィルタ保持手段は、前記光路に沿ってスライド移動可能にした蓋部を有することを特徴としている。
【発明の効果】
【００２２】
本発明によれば、簡単な構成で防塵性を高めることができ、しかも光学的影響を受けることなくメンテナンス作業性改善を可能にした顕微鏡を提供できる。
【発明を実施するための最良の形態】
【００２３】
以下、本発明の実施の形態を図面に従い説明する。
【００２４】
（第１の実施の形態）
図１は、本発明の第１の実施の形態にかかる倒立顕微鏡の概略構成を示している。
【００２５】
図１において、１は顕微鏡本体で、この顕微鏡本体１の上方には、標本２を載置するステージ３を不図示のネジなどで一体に取付けている。ステージ３には、着脱可能な中座ステージ４が設けられている。
【００２６】
顕微鏡本体１の後方には、光源装置５が設けられている。この光源装置５は、落射投光管６と、この落射投光管６に対し着脱可能なランプソケット７から構成されている。落射投光管６は、図２（ａ）に示すように光軸方向に配置された管状の中空部材６０１、６０２、６０３より構成されている。このうちの中空部材６０１は、フランジ６０１ａを有し、このフランジ６０１ａにより顕微鏡本体１に直接固定されるようになっている。中空部材６０１には、光軸上に明るさ絞り８が設けられている。この明るさ絞り８は、レバーを光軸回りに回転操作することで、光量を調整できるようになっている。中空部材６０２は、中空部材６０１にネジなどで一体に連結されるもので、中空部材６０１との連結部の光軸上にフロスト９が設けられている。このフロスト９は、光の明るさを平滑化し照明系の照野の集中を分散させるものである。中空部材６０３は、光源のランプ７０１を有するランプソケット７が着脱可能に取付けられるもので、中空部材６０２に対し円柱形状の断熱部材１０を介して固定されている。また、中空部材６０３には、光軸上にコレクターレンズ１１が設けられている。コレクターレンズ１１は、ランプ７０１から発せられた光を集光するものである。
【００２７】
中空部材６０１のフランジ６０１ａ側端部には、フィルタ保持手段としてフィルタ筒体１２が設けられている。このフィルタ筒体１２は、中空部材６０１と同じ光軸上に沿って配置され、その中空部の光軸には、コレクターレンズ１１とともに光をリレーする光学系を構成するレンズ１２１が配置されるとともに、図２（ｂ）に示すように、光軸に対して所定角度（例えば４度程度）傾けた状態で各種のフィルタ１３を収納する溝部１２ａが設けられている。ここで、フィルタ１３を光軸に対して所定角度傾けてあるのは、光路での多重反射によるフレアーを除去するためである（視野外に逃がしている。）。さらに、フィルタ筒体１２の中空部には、偏光光学素子のポラライザ１４を回転自在に支持する嵌合溝１２ｂも形成されている。ポラライザ１４は、簡易偏光観察の際に用いられるものである。
【００２８】
フィルタ筒体１２には、蓋部として筒状のフィルタカバー１５が設けられている。このフィルタカバー１５は、フィルタ筒体１２外周に光軸方向に沿ってスライド可能に設けられたもので、光軸方向のスライド操作により、フィルタ１３、ポラライザ１４をフィルタ筒体１２内に装着した状態で外部から遮蔽できるようにしている（図２（ｃ）参照）。
【００２９】
フィルタ筒体１２には、光路分割ブロックとしてのハーフミラーブロック１６が設けられている。このハーフミラーブロック１６には、光路分割手段としてのハーフミラー１７が設けられている。このハーフミラー１７は、落射投光管６の光軸と後述する対物レンズ２６の光軸との交点に、４５度の角度をもって配置されている。
【００３０】
ハーフミラーブロック１６の上方には、防塵手段として防塵ガラスユニット１８が設けられている。この防塵ガラスユニット１８には、対物レンズ２６の光軸に対して所定角度（例えば９度程度）傾けて防塵ガラス１９が一体に設けられている。防塵ガラス１９を光軸に対して所定角度傾けてあるのは、光路での多重反射によるフレアーを除去するためである（視野外に逃がしている。）。
【００３１】
防塵ガラスユニット１８は、着脱自在（例えば、ねじ込み）にハーフミラーブロック１６に固定されている。防塵ガラスユニット１８のハーフミラーブロック１６への固定は、ねじ込み以外にも、防塵ガラスユニット１８をハーフミラーブロック１６に嵌め込んだ後、ネジで固定する方法や防塵ガラスユニット１８を磁石を用いてハーフミラーブロック１６に着脱可能に設ける方法などが考えられる。
【００３２】
ハーフミラーブロック１６の後面には、Ｌ形状をした支持板金２０の直立面２０ａがネジ２１により固定されている（図２（ｃ）（ｄ）参照）。この支持板金２０は、水平面２０ｂもハーフミラーブロック１６の下面にネジ２１により固定されている。また、支持板金２０は、水平面２０ｂに光束を通す孔部２０ｃが形成されるとともに、この水平面２０ｂとハーフミラーブロック１６側に設けられた不図示の溝部により、アナライザー２２ａ（又はダミースライダー２２ｂ）を挿入するためのスライダ挿入部１６ａを形成している。ここで、ダミースライダー２２ｂは、スライダ挿入部１６ａに挿入することで防塵手段を構成するもので、光学素子が無い空穴を有するスライダが用いられている。また、この場合もアナライザー２２ａは、光軸に対して所定角度（例えば７度程度）傾けて設けられる。アナライザー２２ａを光軸に対して所定角度傾けてあるのは、光路での多重反射によるフレアーを除去するためである（視野外に逃がしている。）。
【００３３】
支持板金２０の下側両側には、スカート２３が設けられている。このスカート２３は、先端部を顕微鏡本体１内部底面に当接して、この部分での隙間を無くし防塵の役目をするものである（図２（ｄ）参照）。
【００３４】
なお、２４は、ハーフミラーブロック１６に一体化されたピンで、アナライザー２２ａ（又はダミースライダー２２ｂ）の位置決めを行なうためのストッパの働きをしている。また、２５は、ハーフミラー１７の特性上僅かであるが、透過する光があることを考慮して、支持板金２０に貼り付けたフレアー防止のための遮光布である。
【００３５】
図１に戻って、ステージ３の下方には、対物レンズ２６が配置されている。対物レンズ２６は、倍率の異なる複数本（図面では１本のみを示している。）がレボルバー２７に保持されている。レボルバー２７は、回転操作可能になっていて、複数本の対物レンズ２６を択一的に光軸上に位置させるようになっている。また、レボルバー２７は、顕微鏡本体１に図示しない保持部材を介して保持されるとともに、焦準ハンドル２８の操作により光軸に沿って上下動され、ステージ３と対物レンズ２６との相対距離を変化させ、標本２のピント合わせを可能にしている
レボルバー２７の下方の光軸上には、上述した落射投光管６の光軸との交点位置に配置されたハーフミラー１７を介して反射ミラー２９が配置されている。反射ミラー２９は、標本２を反射し対物レンズ２６より拡大された観察像を斜め上方向（水平に対し４５°の角度）に反射させるようにしている。
【００３６】
そして、反射ミラー２９で反射された観察像は、リレー光学系３０でリレーされ、観察鏡筒３１に取り付けられた接眼レンズ３２に入射し、観察者により目視観察されるようになっている。
【００３７】
なお、図中３３は、ランプ７０１に必要な明るさを確保するための調光用ボリュームである。
【００３８】
次に、このように構成した実施の形態の作用を説明する。
【００３９】
まず、不図示の電源スイッチをＯＮする。すると、ランプ７０１から発した光は、落射投光管６の中空部材６０３のコレクターレンズ１１で集光し、フロスト９、明るさ絞り８を介してハーフミラー１７に入射し、ハーフミラー１７で反射してレボルバー２７に装着された対物レンズ２６を介してステージ３上の標本２に照射される。そして、標本２からの反射光は、対物レンズ２６を介してハーフミラー１７に入射し、今度はハーフミラー１７を透過し、反射ミラー２９で反射し、リレー光学系３０を介して接眼レンズ３２に入射し、拡大標本像の観察が行われる。
【００４０】
この状態から、調光用ボリューム３３を操作してランプ７０１の明るさを調整するとともに、焦準ハンドル２８の操作によりレボルバー２７を光軸に沿って上下動させ、ステージ３と対物レンズ２６との相対距離を変化させて標本２のピント合わせを行なう。また、ステージ３上の標本２を指先で摘まんでＸＹ方向に移動させて、観察したい部位を決定する。その後、目的に応じた各種の観察を行なう。
【００４１】
この場合、例えば、明視野観察を行なうには、事前にダミースライダー２２ｂをハーフミラーブロック１６下側に設けられたスライダ挿入部１６ａにピン２４に当接するまで挿入する。また、ポラライザ１４を、フィルタ筒体１２から取り外す（挿入したままでもよいが観察像が若干暗くなる）。さらに、必要ならばフィルタ１３をセットする。そして、フィルタ筒体１２のフィルタカバー１５をスライドさせてフィルタ筒体１２内を外部から遮蔽する。
【００４２】
また、簡易偏光観察を行なうには、ダミースライダー２２ｂに代えてアナライザー２２ａをハーフミラーブロック１６の下側に設けられたスライダ挿入部１６ａにピン２４に当接するまで挿入する。また、ポラライザ１４をフィルタ筒体１２内にセットする。さらに、必要ならばフィルタ１３をセットする。そして、接眼レンズ３２を覗きながら、ポラライザ１４を回転させて、視野が最も暗くなるところを探す（クロスニコル状態にする）。その後、フィルタ筒体１２のフィルタカバー１５をスライドさせてフィルタ筒体１２内を外部から遮蔽する。
【００４３】
従って、このような構成によれば、周囲に粉塵などが飛散しているような環境的条件の悪い場所で用いられることがあっても、ハーフミラー１７の上部に防塵ガラス１９を有する防塵ガラスユニット１８が設けられるので、簡単な構成で防塵性を高めることができ、ハーフミラー１７上方から侵入する粉塵を確実に阻止することができる。また、ハーフミラーブロック１６に形成されたスライダ挿入部１６ａにアナライザー２２ａ（又はダミースライダー２２ｂ）を挿入することで、特に、明視野観察の際に、開口したままであったスライダ挿入部１６ａからハーフミラー１７下方に侵入する粉塵も確実に阻止することができる。つまり、明視野観察の際に、ダミースライダー２２ｂが挿入されることで、粉塵の侵入を最低限に抑えることができ、光学的影響を受けることがなく劣化のない明るい観察像を確保することができる。さらに、各種のフィルタ１３およびポラライザ１４を収容するフィルタ筒体１２についても、フィルタカバー１５が設けられ、このフィルタカバー１５によりフィルタ筒体１２内を外部より遮蔽できるようにもしているので、フィルタ筒体１２内部への粉塵の侵入を防ぐこともできる。
【００４４】
一方、フィルタ筒体１２内部の各種のフィルタ１３およびポラライザ１４や防塵ガラス１９表面に粉塵が付着して、観察像に影響が認められるようになった場合には、観察者によって次の手順でクリーニングすることで、簡単に元の状態に復帰させることができる。
【００４５】
フィルタ筒体１２内部の各種のフィルタ１３およびポラライザ１４については、フィルタカバー１５を開いて、フィルタ１３およびポラライザ１４をフィルタ筒体１２から取外し、それぞれの汚れを拭き取るようにすればよい。
【００４６】
次に、防塵ガラス１９の場合は、例えば、図３（ａ）に示すように、まず、ステージ３上の標本２を取り除くとともに、中座ステージ４を取り外す。次に、レボルバー２７より対物レンズ２６を取り外す。次に、対物レンズ２６を取外した後のレボルバー２７の穴部（対物レンズ取付穴）２７ａがほぼ真上を向くようにレボルバー２７を調整し、その後、この穴部２７ａから、クリーニング部材として、例えば綿棒３４を挿入し、綿棒３４先端の綿部分３４ａで防塵ガラス１９表面に付着した粉塵を拭き取るようにする。また、防塵ガラス１９表面の汚れが激しいような場合は、図３（ｂ）に示すように、ステージ３上の標本２を取り除き中座ステージ４を取り外した後、レボルバー２７を最も上方位置まで移動させて、レボルバー２７とハーフミラーブロック１６との間に大きな空間を作り、この空間を利用してハーフミラーブロック１６より防塵ガラスユニット１８を取外し、外部に取り出して防塵ガラス１９表面に付着した粉塵を拭き取るようにする。
【００４７】
このようにすれば、フィルタ筒体１２内部の各種のフィルタ１３およびポラライザ１４や防塵ガラス１９の汚れを観察者が簡単にクリーニングすることができ、メンテナンス作業性の改善を図ることができることから、常に、最適な状態で観察像の観察を行なうことができる。
【００４８】
（変形例）
第１の実施の形態では、明視野観察時に、ハーフミラー１７の下方にダミースライダー２２ｂを挿入して、粉塵が入り込まないようにしているが、ダミースライダー２２ｂに代えてシャッタ部材で覆うという方法も考えられる。
【００４９】
この場合、図４（ａ）〜（ｄ）は、図２と同一部分には、同符号を付して示している。スライダ挿入部１６ａには、防塵手段を構成する開閉手段としての可動シャッタ３５が設けられている。この可動シャッタ３５は、一端が回動可能にハーフミラーブロック１６に支持されている。可動シャッタ３５の回動支持部には、ツマミ３６が一体に設けられている。ツマミ３６は、ハーフミラーブロック１６にねじ込まれたネジ３６１により可動シャッタ３５と一体に回動可能になっていて、ツマミ３６を回転操作することで可動シャッタ３５によりスライダ挿入部１６ａの開口部を開閉できるようになっている。この場合、可動シャッタ３５は、回動方向にトルク設定が成されており、自重により動かないようにもなっている。また、可動シャッタ３５の回動方向には、ストッパピン３７が設けられている。このストッパピン３７は、可動シャッタ３５の回動位置を規制するものである。一方、ハーフミラーブロック１６は、スライダ挿入部１６ａと反対側の側面には、隠し板３８が設けられている。この隠し板３８は、スライダ挿入部１６ａと反対側の側面からの粉塵の侵入を阻止するためのものである。
【００５０】
その他は、図２と同様である。
【００５１】
このような構成において、明視野観察を行なうときは、ツマミ３６を回して可動シャッタ３５によりスライダ挿入部１６ａの開口部を閉じるようにする。こうすれば、第１の実施の形態で述べたダミースライダー２２ｂを用いること無く、スライダ挿入部１６ａからの粉塵の侵入を阻止することができる。また、簡易偏光観察を行なうときは、ツマミ３６を操作して可動シャッタ３５をストッパピン３７に当接するまで回動させ、スライダ挿入部１６ａからアナライザー２２ａを挿入する。
【００５２】
従って、このようにすれば明視野観察の際に、可動シャッタ３５によりスライダ挿入部１６ａの開口部を閉じることができるので、ダミースライダー２２ｂを用いること無く、粉塵の侵入を最低限に抑えることができ、劣化のない明るい観察像が確保することができる。また、ダミースライダー２２ｂは、別部品であり、紛失する可能性があったが、可動シャッタ３５であれば、このような心配はなく、操作性もアップさせることができる。
【００５３】
（第２の実施の形態）
次に、本発明の第２の実施の形態を説明する。
【００５４】
図５は、本発明の第２の実施の形態にかかる倒立顕微鏡の概略構成、図６は、倒立顕微鏡の落射投光管の概略構成を示すもので、図１および図２と同一部分には同符号を付している。
【００５５】
この場合、ハーフミラーブロック１６の下側に設けられたアナライザー２２ａ（又はダミースライダー２２ｂ）を挿入するスライダ挿入部１６ａに代えて、防塵手段としての防塵ガラスユニット５１が設けられている。この防塵ガラスユニット５１には、対物レンズ２６の光軸に対して所定角度（例えば９度程度）傾けて防塵ガラス５２が一体に設けられている。防塵ガラス５２を光軸に対して所定角度傾けてあるのは、光路での多重反射によるフレアーを除去するためである（視野外に逃がしている。）。
【００５６】
防塵ガラスユニット５１は、着脱自在（例えば、ねじ込み）にハーフミラーブロック１６に固定されている。防塵ガラスユニット５１のハーフミラーブロック１６への固定は、ねじ込み以外にも、防塵ガラスユニット５１をハーフミラーブロック１６に嵌め込んだ後、ネジで固定する方法や防塵ガラスユニット１８を磁石を用いてハーフミラーブロック１６に着脱可能に設ける方法が考えられる。
【００５７】
また、落射投光管６の中空部材６０１に取付けられるフィルタ筒体１２は、ポラライザ１４を回転自由に支持する嵌合溝１２ｂを省略したものが用いられる。
【００５８】
その他は、図１および図２と同様である。
【００５９】
このようにすれば、ハーフミラーブロック１６は、上下方向に防塵ガラスユニット１８、５１が設けられ、さらに落射投光管６側も光源側レンズなどによって覆われているので、ハーフミラー１７の上面および下面に粉塵が付着するのを、ほほ完全に防止することができる。また、上下方向の防塵ガラスユニット１８、５１に粉塵が付着したような場合も、これら防塵ガラスユニット１８、５１は、ユーザーによりハーフミラーブロック１６から取外すことができるので、簡単にクリーニングすることができる。
【００６０】
なお、このような構成では、第１の実施の形態で述べたポラライザ１４とアナライザー２２ａを除去しているので、観察方法としては、明視野観察のみとなる。
【００６１】
なお、本発明は、上記実施の形態に限定されるものでなく、実施段階では、その要旨を変更しない範囲で種々変形することが可能である。例えば、上述した実施の形態では、ハーフミラー１７と称して説明したが、ここでのハーフミラー１７は、通常言われているハーフミラーやダイクロイックミラー、ビームスプリッタなどの他の光学素子も含まれる。
【００６２】
また、上述した実施の形態では、ダミースライダー２２ｂとして空穴のものを用いたが、ハーフミラー１７の下方からの粉塵の侵入を防止するため、ガラス板を嵌め込んだものを用いるようにしても良い。こうすれば、アナライザー２２ａを挿入した時と同じレベルまで、防塵性能を高めることができる。
【００６３】
さらに、上述した実施の形態では、ハーフミラーブロック１６の上方には、別に用意された防塵ガラスユニット１８を装着するようにしたが、これらは別体にする必要もなく、ハーフミラー１７を有するハーフミラーブロック１６に直接防塵ガラス１９を取付けるようにしても良い。こうすると、レボルバー２７とハーフミラー１７の間の小さな隙間に別体の防塵ガラスユニット１８を配置するより、スペースの使い方としては好ましい。ハーフミラーブロック１６の下方に設けられる防塵ガラスユニット５１についても同様である。
【００６４】
さらに、上述した実施の形態では、フィルタ筒体１２外周に光軸方向に沿ってスライドする筒状のフィルタカバー１５を設けるようにしたが、フィルタ筒体１２内部に粉塵が入るのを防止することを目的としたものであるなら、単なる蓋状のものや、フィルタ筒体１２外周の円周方向に沿って移動するようなスライドカバーであっても良い。
【００６５】
さらに、上述した実施の形態では、光路分割手段として、ハーフミラー１７について述べたが、ハーフミラー１７以外でも光路を分割できるものであれば、ダイクロイックミラーや偏光ビームスプリッタであっても良い。また、観察手段は、目視手段以外に、カメラによるものであっても良い。
【００６６】
その他、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００６７】
【図１】本発明の第１の実施の形態にかかる倒立顕微鏡の概略構成を示す図。
【図２】第１の実施の形態の倒立顕微鏡に用いられる落射投光管の概略構成を示す図。
【図３】第１の実施の形態の倒立顕微鏡に用いられる防塵ユニットのリーニング方法明するための図。
【図４】第１の実施の形態の倒立顕微鏡の変形例の要部の概略構成を示す図。
【図５】本発明の第２の実施の形態にかかる倒立顕微鏡の概略構成を示す図。
【図６】第２の実施の形態の倒立顕微鏡に用いられる落射投光管の概略構成を示す図。
【図７】従来の顕微鏡の概略構成を示す図。
【符号の説明】
【００６８】
１…顕微鏡本体、２…標本
３…ステージ、４…中座ステージ
５…光源装置、６…落射投光管
６０１〜６０３…中空部材、６０１ａ…フランジ
７…ランプソケット、７０１…ランプ
８…明るさ絞り、９…フロスト、１０…断熱部材
１１…コレクターレンズ、１２…フィルタ筒体
１２ａ…溝部、１２ｂ…嵌合溝
１２１…レンズ、１３…フィルタ
１４…ポラライザ、１５…フィルタカバー
１６…ハーフミラーブロック、１６ａ…スライダ挿入部
１７…ハーフミラー、１８…防塵ガラスユニット
１８…防塵ガラスユニット、１９…防塵ガラス
２０…支持板金、２０ａ…直立面、２０ｂ…水平面
２０ｃ…孔部、２１…ネジ
２２ａ…アナライザー、２２ｂ…ダミースライダー
２３…スカート、２４…ピン
２５…遮光布、２６…対物レンズ
２７…レボルバー、２８…焦準ハンドル
２９…反射ミラー、３０…リレー光学系
３１…観察鏡筒、３２…接眼レンズ
３３…調光用ボリューム、３４…綿棒
３４ａ…綿部分、３５…可動シャッタ
３６…ツマミ、３６１…ネジ
３７…ストッパピン、３８…隠し板
５１…防塵ガラスユニット、５２…防塵ガラス
【図１】
2006098549.tif 000003
【図２】
2006098549.tif 000004
【図３】
2006098549.tif 000005
【図４】
2006098549.tif 000006
【図５】
2006098549.tif 000007
【図６】
2006098549.tif 000008
【図７】
2006098549.tif 000009